(57)【特許請求の範囲】
【請求項１】
異なる発光色を有する複数色の発光ダイオードを備えたカメラ装置の閃光装置の設定方法であって、
各色の発光ダイオードを発光させて、混合光をグレーの紙に照射し、その画像をＣＣＤにより取り込み、Ｙ，Ｃｒ，Ｃｂのそれぞれのデータに変換し、
Ｃｒ＝Ｃｂとなるよう赤色の発光ダイオードの駆動電流Ｉｒ及び青色の発光ダイオードの駆動電流Ｉｂを調整する工程と、
規定のＹになるように緑色の発光ダイオードの駆動電流Ｉｇを調整する工程と、
Ｉｒ／ＩｇおよびＩｂ／ＩｇがＣｒ＝Ｃｂを維持する値となるように、Ｉｒ，Ｉｂを設定する工程とを有することを特徴とする閃光装置の設定方法。
【請求項２】
さらに、前記調整されたＩｇ、および前記設定されたＩｒ，Ｉｂにおける各発光ダイオードの駆動電圧値を記憶することを特徴とする閃光装置の設定方法。
【発明の詳細な説明】
【０００１】
【発明の属する技術分野】
本発明は、カメラ、特にデジタルカメラに用いて好適な閃光装置及びそれを用いた電子スチルカメラに関する。
【０００２】
【従来の技術】
近年、ＣＣＤ型やＭＯＳ型の固体撮像素子を用いて被写体を撮像し、それを画像データとしてフラッシュメモリ等の記録媒体に記録するデジタルカメラが一般に普及している。デジタルカメラにおいても従来の銀塩カメラと同様のストロボを有するものが多い。
【０００３】
図１２は、従来の一般的なストロボ１００を示すブロック図であって、ストロボ１００は以下のようにして撮影補助光を発する。すなわち、マイコン１０１からの制御によって昇圧トランス１０２に電池等の電源１０３からの電圧を３２０Ｖ程度に昇圧させ、メインコンデンサ１０４に充電を行わせ、その充電状態を維持させる。撮影時には、マイコン１０１からの制御により駆動素子（ＩＧＢＴ）１０５によってトリガコイル１０６を駆動し、トリガコイル１０６から２ＫＶ以上の電圧を放電管１０７に与え、放電管１０７を発光させる。さらに、その光の（被写体からの）反射光を調光センサ１０８によってとらえ、それが規定量の光量になったところで調光回路１０９により発光を停止させ、これにより適切な撮影補助光を確保する。
【０００４】
【発明が解決しようとする課題】
しかしながら、従来のストロボ１００において撮影補助光を得るためには、放電管１０７以外にも、それに供給する電力を得るための昇圧トランス１０２、メインコンデンサ１０４、トリガコイル１０６が不可欠となっている。このため、部品点数が多く、消費電力が大きいという問題や、高電圧を発生する際にノイズが発生するため、カメラ本体に組み込むには他の回路へのノイズ対策を行う必要があるといった問題があった。
【０００５】
本発明は、かかる従来の課題に鑑みてなされたものであり、部品点数が少なく、小型かつ省電力化が可能となる閃光装置の設定方法を提供することを目的とする。
【０００６】
異なる発光色を有する複数色の発光ダイオードを備えたカメラ装置の閃光装置の設定方法であって、各色の発光ダイオードを発光させて、混合光をグレーの紙に照射し、その画像をＣＣＤにより取り込み、Ｙ，Ｃｒ，Ｃｂのそれぞれのデータに変換し、Ｃｒ＝Ｃｂとなるよう赤色の発光ダイオードの駆動電流Ｉｒ及び青色の発光ダイオードの駆動電流Ｉｂを調整する工程と、規定のＹになるように緑色の発光ダイオードの駆動電流Ｉｇを調整する工程と、Ｉｒ／ＩｇおよびＩｂ／ＩｇがＣｒ＝Ｃｂを維持する値となるように、Ｉｒ，Ｉｂを設定する工程とを有することを特徴とする。
【０００７】
これにより赤色ＬＥＤ、緑色ＬＥＤ、青色ＬＥＤが異なる輝度で発光し、それらの混合光である白色の光が得られることとなる。
【００２４】
【発明の実施の形態】
以下、本発明の一実施の形態を図にしたがって説明する。
（第１の実施の形態）
図１は、本発明に係る閃光装置１の電気的構成を示すブロック図である。閃光装置１は、各々が赤色、緑色、青色の互いに異なる発光色を有する３種類の発光ダイオード、すなわち赤色ＬＥＤ（ＬＥＤ−Ｒ）２、緑色ＬＥＤ（ＬＥＤ−Ｇ）３、青色ＬＥＤ（ＬＥＤ−Ｂ）４と、これらを駆動する駆動回路（駆動手段）５、電池等の電源６、マイコン７から構成されている。なお、赤色ＬＥＤ２、緑色ＬＥＤ３、青色ＬＥＤ４は、それぞれが１個であっても複数個であっても構わない。マイコン７は、デジタル信号をアナログ信号に変換するＤＡＣ８と、赤色ＬＥＤ２、緑色ＬＥＤ３、青色ＬＥＤ４のそれぞれに対応する設定電圧値Ｅｒ，Ｅｇ，Ｅｂが記憶された輝度設定メモリ９とを有している。設定電圧値Ｅｒ，Ｅｇ，Ｅｂは、閃光装置１における発光色の色合いを決める輝度設定情報であり、各値は工場出荷時において決められ設定されている。
【００２５】
図２は、工場出荷時における輝度設定に関する手順を示す図であって、輝度設定においては、先ず、各色のＬＥＤ２〜４を発光させて、その光（混合光）をグレーの紙に照射し、その画像をＣＣＤにより取り込み、Ｙ，Ｃｒ，Ｃｂ変換する（ステップＳ１〜Ｓ３）。次に、Ｃｒ＝Ｃｂとなるよう赤色及び青色のＬＥＤ２，４の電流Ｉｒ，Ｉｂを調整する（ステップＳ４，Ｓ５）。それが済んだら（ステップＳ４でＹＥＳ）、規定のＹレベルになるように緑色ＬＥＤ３の電流Ｉｇを調整する。このときＩｒ／ＩｇおよびＩｂ／Ｉｇが先に求めたＣｒ＝Ｃｂを維持する値となるように、Ｉｒ，Ｉｂを設定する（ステップＳ６）。これにより混合光が白色となるような輝度が得られる電流値にＩｒ，Ｉｇ，Ｉｂを求め、しかる後、それらに対応する電圧値Ｅｒ，Ｅｇ，Ｅｂを求め設定電圧値とする（ステップＳ７）。なお、係る輝度設定に際して、前述した画像の取り込みに使用されるＣＣＤは、一定以上の色分解性能を有するものが用いられる。また、閃光装置１が電子スチルカメラに組み込まれる場合には、その電子スチルカメラが有するＣＣＤが用いられる。
【００２６】
そして、マイコン７は、内部に組み込まれているプログラムに従い動作することにより本発明の制御手段として機能し、図外のカメラから送られるタイミング信号に応答して、例えば図３に示したようなシャッターの開閉タイミングで、駆動回路５にＯＮ／ＯＦＦ信号を送り、駆動回路５から赤色ＬＥＤ２、緑色ＬＥＤ３、青色ＬＥＤ４に電流を流し、それらを発光させる。また、そのときには、ＤＡＣ８から、輝度設定メモリ９に記憶されている値の色毎の直流電圧を駆動回路５に与え、上記各ＬＥＤ２〜４の駆動電流値Ｉｒ，Ｉｇ，Ｉｂを所定の値に制御する。これにより赤色ＬＥＤ２、緑色ＬＥＤ３、青色ＬＥＤ４が異なる輝度で発光し、それらの混合光である白色の光が得られることとなる。
【００２７】
ここで、以上の構成においては、各ＬＥＤ２〜４の発光時に必要な電力が小さく、また駆動回路５を簡単かつ小数の部品により構成することができる。よって、閃光装置１においては、従来のものに比べ部品点数が少なく、小型かつ省電力化が可能である。また、カメラ装置に組み込む場合であってもノイズ対策が不要となる。
【００２８】
また、本実施の形態では、発光時に各ＬＥＤ２〜４の輝度を予め設定した輝度することにより異なる発光色のＬＥＤ２〜４を用いても白色の光（撮影補助光等）を得ることができる。しかも、各ＬＥＤ２〜４の輝度を前述したように設定することにより、閃光装置１や、それが組み込まれるカメラ装置毎に最適な白色光を得ることができる。
【００２９】
なお、本実施の形態では、３色のＬＥＤ２〜４を用いたものを示したが、それらの代わりに白色のＬＥＤを用いるとともに、マイコン７による制御をオンオフ制御だけとしてもよい。その場合においても、前述した従来のものに比べての効果、すなわち部品点数が少なく、小型かつ省電力化が可能であり、また、カメラ装置に組み込む場合であってもノイズ対策が不要となる効果を得ることができる。
【００３０】
なお、本実施の形態においては、前記輝度設定メモリ９に、前述した方法で決められた設定電圧値Ｅｒ，Ｅｇ，Ｅｂ、すなわち白色の光を得るための輝度設定情報が記憶されているものについて説明したが、それ以外の色の光を得るための輝度設定情報を記憶させておくようにしてもよい。例えば、図４に示したように、例えば白色光を得るための３色のＬＥＤ２〜４の駆動電流値Ｉｒ，Ｉｇ，Ｉｂが「５０ｍＡ，６０ｍＡ，７０ｍＡ」であるとき、それを「５０ｍＡ，０ｍＡ，０ｍＡ」とする設定電圧値を記憶させておくことにより赤色の光を得ることができる。また、例えば駆動電流値を「約４０ｍＡ，約１０ｍＡ，約５ｍＡ」とする設定電圧値を記憶させておくことによりオレンジ色といった様に、各ＬＥＤ２〜４の発光色以外の色（中間色）の光を得ることができる。したがって、前記輝度設定メモリ９に、複数種の輝度設定情報（複数組の設定電圧値Ｅｒ，Ｅｇ，Ｅｂ）を記憶しておき、それらを選択的に使用させることにより、必要に応じて、複数種の色の光を得ることができる。
【００３１】
（第２の実施の形態）
次に、本発明の第２の実施の形態について説明する。本実施の形態は、図１に示したと同様の構成を有する閃光装置１において、前記マイコン７に、前述したものとは異なるプログラムが組み込まれているものである。
【００３２】
図５は、本実施の形態におけるマイコン７の制御内容を示した図であって、本実施の形態において、マイコン７は、図外のカメラから送られるタイミング信号に応答して、赤色ＬＥＤ２、緑色ＬＥＤ３、青色ＬＥＤ４を順に発光させ、かつそのときの各ＬＥＤ２〜４の発光時間Ｔｒ，Ｔｇ，Ｔｂを
Ｔｒ：Ｔｇ：Ｔｂ＝Ｉｒ：Ｉｇ：Ｉｂ
である時間に制御する。すなわち、決められた発光時間内における、色毎の発光時間の割合が色毎の駆動電流値Ｉｒ，Ｉｇ，Ｉｂの割合となるように、各ＬＥＤ２〜４を時分割で発光させる。
【００３３】
係る実施の形態においても、第１の実施の形態と同様に、白色の光を得ることができため、それと同様の効果を得る事ができる。しかも、発光時に同時に使用する電流が約１／３で済む。よって、発光色が異なるＬＥＤ２〜４を用いて白色光を得ることを目的とする場合には、電源６の負担が軽減されるとともに、電源６として、より容量の小さな電池を使用することができる。
【００３４】
なお、前述したマイコン７による各ＬＥＤ２〜４の発光時間の制御は、色毎の駆動電流値Ｉｒ，Ｉｇ，Ｉｂの割合と、前述した決められた発光時間、例えばタイミング信号と共にカメラから送られる指定信号により示される露光時間（図５に示した例）や、閃光装置１において別途設定された時間とに基づき、その度ごとに違算される。また、計算に使用する色毎の駆動電流値Ｉｒ，Ｉｇ，Ｉｂの割合については、その都度、輝度設定メモリ９に記憶されている駆動電流値Ｉｒ，Ｉｇ，Ｉｂから算出してもよいし、それらを記憶するとき輝度設定メモリ９に別途記憶しておいたものであってもよい。
【００３５】
なお、本実施の形態とは別に、各ＬＥＤ２〜４の発光時間の割合を、図４において既説した白色以外の色の光が得られる駆動電流値Ｉｒ，Ｉｇ，Ｉｂの割合とすることにより、白色以外の色の光を得ることができる。したがって、上述したように各ＬＥＤ２〜４の発光を時分割制御する方法においても、必要に応じて、複数種の色の光を得ることができる。
【００３６】
（第３の実施の形態）
次に、本発明の第３の実施の形態について説明する。図６は、本発明に係る閃光装置を備えた電子スチルカメラ２１の電気的構成を示すブロック図である。この電子スチルカメラ２１は、固定レンズ２２、フォーカスレンズ２３を介して結像された被写体像を撮像する撮像手段であるＣＣＤ２４と、ＣＣＤ２４を駆動するためのＴＧ２５及びＶドライバー２６と、ＣＣＤ２４から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路２７を有している。前記フォーカスレンズ２３は、ＡＦモータ等からなる駆動機構２８に保持されており、装置全体を制御するＭＰＵ２９がＡＦドライバー３０を介して駆動機構２８を動作させることにより光軸方向に移動し合焦動作を行う。また、ＣＣＤ２４は、ＭＰＵ２９から送られるシャッターパルスに応じ、ＴＧ２５とＶドライバー２６とによって電荷蓄積時間を変化されることにより、電子シャッターとして機能する。
【００３７】
ＭＰＵ２９は各種の信号処理、及び画像処理機能を備えたものであり、ユニット回路２７を経てデジタル信号に変換された撮像信号からビデオ信号を生成し、ＣＣＤ２４によって撮像した被写体像をスルー画像としてＴＦＴ液晶モニター３１に表示させる。また、撮影時には、撮像信号を圧縮して所定のフォーマットの画像ファイルを生成し、それをフラッシュメモリ３２に記憶させる一方、再生時には圧縮した画像ファイルを伸張してＴＦＴ液晶モニター３１に表示させる。
【００３８】
また、ＭＰＵ２９には電池等の電源を含む電源回路３３、シャッターキー等の各種のスイッチを含む操作キー部３４、作業用のメモリであるＤＲＡＭ３５、ＭＰＵ２９による各部の制御及びデータ処理に必要な各種の動作プログラムが記録されたプログラムＲＯＭであるＭＲＯＭ３６、ＤＡＣ８、駆動回路５が接続されている。ＤＡＣ８と駆動回路５は、第１及び第２の実施の形態で既説したものと同様のものであり、駆動回路５には赤色ＬＥＤ２、緑色ＬＥＤ３、青色ＬＥＤ４が接続されている。
【００３９】
そして、ＭＲＯＭ３６には、赤色ＬＥＤ２、緑色ＬＥＤ３、青色ＬＥＤ４の輝度を制御するための、第１の実施の形態で説明した設定電圧値Ｅｒ，Ｅｇ，Ｅｂと、ＭＰＵ２９に第１及び第２の実施の形態のマイコン７と同様の動作を行わせるためのプログラムが記憶されている。これによりＭＰＵ２９と、ＭＲＯＭ３６、電源回路３３、ＤＡＣ８、駆動回路５、各ＬＥＤ２〜４によって本発明の閃光装置４１が実現されている。またＭＲＯＭ３６には、ＭＰＵ２９を本発明の合焦手段、露出制御手段、ホワイトバランス手段として機能させるためのプログラムが記憶されている。
【００４０】
以下、上記構成からなる電子スチルカメラ２１の、ＭＰＵ２９の制御に基づく各種動作における閃光装置４１の使用例について説明する。
【００４１】
（ＡＦ動作）
図７は、ＭＰＵ２９によるオートフォーカス制御（ＡＦ制御）に関する電子スチルカメラ２１の動作内容を示すタイミングチャートである。なお、本実施の形態におけるフォーカス制御方式は、ＣＣＤ２４から出力された撮像信号に含まれる高周波数成分の量を、例えば１フィールド期間積分し、その値をＡＦ評価値として、それが最も大きくなるようにフォーカスレンズ２３を光軸方向に移動させるコントラストＡＦである。
【００４２】
かかる動作では、電子スチルカメラ２１は、撮影者によってスルーモードが設定された状態では、ＣＣＤ２４によって画像の取り込み動作を開始し（シャッター「開」）、取り込んだ画像（スルー画像）をＴＦＴ液晶モニター３１に表示する。その間、各ＬＥＤ２〜４にプリ発光を行わせながらコントラストＡＦ制御を行う。かかる間に、撮影者によりシャッターキーが押されたらキャプチャーモードに移行し、ＣＣＤ２４による画像取り込み動作をいったん停止する（シャッター「閉」）。
【００４３】
しかる後、各ＬＥＤ２〜４（ストロボ）に所定の露光時間Ｔ内に所定の電流（例えば、第１の実施の形態で説明した駆動電流値Ｉｒ，Ｉｇ，Ｉｂ）を供給して本発光を行わせながら、ＣＣＤ２４による画像取り込み動作を行わせる（シャッター「開」（露光））。そして、露光時間が経過したら、ＣＣＤ２４による画像取り込み動作をいったん停止した後（シャッター「閉」）、再びスルーモードに移行して画像取り込み動作を再開する。
【００４４】
以上の動作においては、スルーモードでコントラストＡＦが動作している間に各ＬＥＤ２〜４をプリ発光させることにより、暗い場所で撮影する場合等における、ＡＦ制御に必要なＣＣＤからの情報不足を補うことができ、正確な合焦動作が可能である。しかも、プリ発光時に各ＬＥＤ２〜４に確保する輝度は、コントラストＡＦを可能とする程度でよく、本発光と同じ光量である必要はない。このためプリ発光に要する消費電力が小さく、ＡＦ制御が長時間行われていても電池寿命に及ぼす影響が僅かである。したがって、電池寿命を維持しながら、コントラストＡＦの使用範囲を広げることができる。
【００４５】
なお、前述したシャッターの開閉動作は、前記ＣＣＤ２４が、画像を読み取る際に、画像の左から右への水平走査と、上から下への垂直走査を順次に行う方式（順次読み取り方式）のプログレッシブＣＣＤの場合には不要であり、これについては、後述する他の動作においても同様である。
【００４６】
（ＡＥ動作）
図８は、ＭＰＵ２９による自動露出制御（ＡＥ制御）に関する電子スチルカメラ２１の動作内容を示すタイミングチャートである。かかる動作では、撮影者によってスルーモードが設定されたら、直ちにＡＥ動作によって事前に露出検出を行う。そして、露出が不足しておりストロボが必要と判断したときには、キャプチャーモードへ移行する直前において撮影用のＡＥ動作（露出制御）を行う間に、各ＬＥＤ２〜４を駆動してプリ発光を行い、本発光時に必要な光量（輝度や発光時間）を演算する。しかる後、キャプチャーモードへ移行した時点で、演算した光量で各ＬＥＤ２〜４に本発光を行わせて画像を取り込み、それが終了したら、キャプチャーモードに再び移行する。なお、各処理モード（スルーモードとキャプチャーモード）におけるシャッターの開閉動作は、図７の自動合焦制御と同様である。
【００４７】
以上の動作においては、暗い場所で撮影する場合であっても、撮影時における露出を正確に検出することができる。また、かかる場合においてもプリ発光時に各ＬＥＤ２〜４に確保する輝度は、ＡＥの動作が可能な程度の光量でよく、本発光と同じ光量である必要はなく、プリ発光に要する消費電力が極めて小さくて済む。したがって、電池寿命を維持しながら、暗い場所であっても正確な露出制御が可能である。
【００４８】
（ＡＷＢ動作）
図９は、ＭＰＵ２９によるオートホワイトバランス制御（ＡＷＢ制御）に関する電子スチルカメラ２１の動作内容を示すタイミングチャートである。かかる動作では、撮影者によってスルーモードが設定された後、キャプチャーモードへ移行する直前において各ＬＥＤ２〜４を駆動してプリ発光を行わせ、その状態でＡＷＢ動作を行い、撮影時にＣＣＤ２４から出力される撮像信号に基づき白検出を行い、ユニット回路２７のゲイン調整アンプにおける色成分毎のゲインを設定する。しかる後、キャプチャーモードへ移行した時点で、各ＬＥＤ２〜４に本発光を行わせて画像を取り込み、それが終了したら、キャプチャーモードに再び移行する。なお、上記のプリ発光及び本発光に際しては、各ＬＥＤ２〜４を、第１の実施の形態で説明した方法により決められた駆動電流値Ｉｒ，Ｉｇ，Ｉｂで発光させる必要がある。また、各処理モード（スルーモードとキャプチャーモード）におけるシャッターの開閉動作は、図７のＡＦ制御と同様である。
【００４９】
以上の動作においては、蛍光灯などの他の光源があるところで各ＬＥＤ２〜４を発光させる場合、その光の白色のバランスを取っただけではホワイトバランスは取れないが、前述したようにプリ発光を行わせることにより、良好なホワイトバランスを確保することができる。なお、この場合には、プリ発光時にも本発光時と同様の輝度を各ＬＥＤ２〜４に確保する必要があるが、第１の実施の形態でも述べたように、その消費電力が従来のストロボに比べると僅かであるため、電池の消耗度合いも僅かである。
【００５０】
（赤目防止動作）
図１０は、ＭＰＵ２９による赤目防止制御に関する電子スチルカメラ２１の動作内容を示すタイミングチャートである。かかる動作は、従来から行われているものと同様、キャプチャーモードへ移行する直前において、各ＬＥＤ２〜４にプリ発光を行わせ、これにより撮影時における各ＬＥＤ２〜４の本発光に伴う赤目の発生を防止するものである。
【００５１】
（ムービー撮影動作）
図１１は、ムービー（動画）撮影に関する電子スチルカメラ２１の動作内容を示すタイミングチャートである。かかる動作では、スルーモードが設定された後、撮影者の所定の操作によりムービー記録モードへ移行した時点で、各ＬＥＤ２〜４を発光させる。そして、ムービー記録モードが終了するまで、各ＬＥＤ２〜４の発光状態を維持する。
【００５２】
以上の動作においては、暗い場所においてもムービー撮影が可能となる。しかも、それが長時間行われていても電池寿命に及ぼす影響が僅かである。したがって、電池寿命を維持しながら、電子スチルカメラ２１の利用範囲を広げることができる。
【００５３】
（多重撮影）
図１２は、多重撮影に関する電子スチルカメラ２１の動作内容を示すタイミングチャートである。かかる動作では、スルーモードが設定された後、キャプチャーモードへ移行してＣＣＤ２４による画像取り込み動作を行う間に、例えば撮影者によって設定された一定時間（Ｔ２）で各ＬＥＤ２〜４を間欠的に発光させる。そして、画像取り込み動作が終了するまで、かかる間欠発光を継続する。なお、各処理モード（スルーモードとキャプチャーモード）におけるシャッターの開閉動作は、図７の自動合焦制御と同様である。
【００５４】
以上の動作においては、動きのある被写体を１画像に連続撮影した多重画像として撮影することができる。しかも、従来の放電管を用いたストロボに比べると、各ＬＥＤ２〜４においては、１回の発光時における光量の変化がパル状であることから、発光間隔を短く設定することができ、より速い動きがある被写体を撮影対象とした多重撮影が可能となる。
【００５５】
なお、これ以外にも、予め各ＬＥＤ２〜４の発光間隔を固定しておき、撮影者に発光回数だけを設定させるようにしたり、撮影者に１回の発光時間を設定させるようにしてもよい。また、撮影者に予め発光色を設定させるとともに、その発光色が得られるよう、第２の実施の形態で説明したように各ＬＥＤ２〜４の輝度を個々に制御するようにしてもよく、さらには１回毎に発光色を変化させるようにしてもよい。その場合には、より効果的な画像を得ることができる。
【００５６】
（セルフタイマー撮影）
図１３は、セルフタイマー撮影に関する電子スチルカメラ２１の動作内容を示すタイミングチャートである。かかる動作では、セルフタイマーがセットされた後のスルーモードにおいて、キャプチャーモードへ移行するまで、各ＬＥＤ２〜４を、例えば図示したように「紫、青、・・・赤」といったように発光色を変化させながら間欠的に発光させる。なお、各処理モード（スルーモードとキャプチャーモード）におけるシャッターの開閉動作は、図７の自動合焦制御と同様である。
【００５７】
以上の動作においては、本発光時と同様の光量を必要としないため、各ＬＥＤ２〜４の輝度を低く抑えることにより、消費電力を削減することができる。また、例えば各ＬＥＤ２〜４の輝度を、夜間のように周囲が暗いときに、それ以外のときよりも低く設定すれば、消費電力をさらに削減することができる。なお、各ＬＥＤ２〜４の発光間隔は等間隔でなくとも、次第に短くなるようにしてもよい。
【００５８】
【発明の効果】
以上説明したように本発明の閃光装置の設定方法においては、発光時に必要な電力が小さく、小型かつ省電力化が可能とすることができる閃光装置の設定が可能になる。
【図面の簡単な説明】
【図１】本発明の第１の実施の形態を示す閃光装置のブロック図である。
【図２】同実施の形態における輝度設定時の手順を示すフローチャートである。
【図３】同実施の形態における動作内容を示すタイミングチャートである。
【図４】各ＬＥＤに対する駆動電流値と発光色との関係を示す図である。
【図５】本発明の第２の実施の形態における動作内容を示すタイミングチャートである。
【図６】本発明の第３の実施の形態を示す電子スチルカメラのブロック図である。
【図７】オートフォーカス制御に関する電子スチルカメラの動作内容を示すタイミングチャートである。
【図８】自動露出制御制御に関する電子スチルカメラの動作内容を示すタイミングチャートである。
【図９】オートホワイトバランス制御に関する電子スチルカメラの動作内容を示すタイミングチャートである。
【図１０】赤目防止制御に関する電子スチルカメラの動作内容を示すタイミングチャートである。
【図１１】ムービー撮影に関する電子スチルカメラの動作内容を示すタイミングチャートである。
【図１２】多重撮影に関する電子スチルカメラの動作内容を示すタイミングチャートである。
【図１３】セルフタイマー撮影に関する電子スチルカメラの動作内容を示すタイミングチャートである。
【図１４】従来の閃光装置を示すブロック図である。
【符号の説明】
１    閃光装置
２    赤色ＬＥＤ
３    緑色ＬＥＤ
４    青色ＬＥＤ
５    駆動回路
７    マイコン
８    ＤＡＣ
９    輝度設定メモリ
２１    電子スチルカメラ
２４    ＣＣＤ
２９    ＭＰＵ
３６    ＭＲＯＭ
４１    閃光装置
【図１】
0003797136.tif 000002
【図２】
0003797136.tif 000003
【図３】
0003797136.tif 000004
【図４】
0003797136.tif 000005
【図５】
0003797136.tif 000006
【図６】
0003797136.tif 000007
【図７】
0003797136.tif 000008
【図８】
0003797136.tif 000009
【図９】
0003797136.tif 000010
【図１０】
0003797136.tif 000011
【図１１】
0003797136.tif 000012
【図１２】
0003797136.tif 000013
【図１３】
0003797136.tif 000014
【図１４】
0003797136.tif 000015